(57)【要約】【課題】籾殻を庫内に円滑に搬送することができるとともに、前記籾殻とともに庫内に搬送される粉塵を、別途集塵装置を設けることなく回収することができる籾殻庫を提供する。【解決手段】籾殻を空気搬送する籾殻搬送ダクトが接続され、前記籾殻搬送ダクトにより空気搬送される籾殻を庫内に貯留する籾殻庫において、籾殻庫の内部であって前記籾殻搬送ダクトが接続される高さよりも下方には、前記籾殻搬送ダクトが接続される籾殻搬入空間と連通し、庫内に堆積する籾殻により前記籾殻搬入空間と隔てられる空間部が形成され、前記籾殻搬入空間の空気を、前記庫内に堆積する前記籾殻により前記籾殻搬入空間と隔てられた前記空間部から前記籾殻を介して庫外へ排気しながら、前記籾殻搬送ダクトにより籾殻を庫内に空気搬送することを特徴とする。【選択図】図１
2019180275.tif 000002
【特許請求の範囲】
【請求項１】
籾殻を空気搬送する籾殻搬送ダクトが接続され、前記籾殻搬送ダクトにより空気搬送される籾殻を庫内に貯留する籾殻庫において、
籾殻庫の内部であって前記籾殻搬送ダクトが接続される高さよりも下方には、前記籾殻搬送ダクトが接続される籾殻搬入空間と連通し、庫内に堆積する籾殻により前記籾殻搬入空間と隔てられる空間部が形成され、
前記籾殻搬入空間の空気を、前記庫内に堆積する前記籾殻により前記籾殻搬入空間と隔てられた前記空間部から前記籾殻を介して庫外へ排気しながら、前記籾殻搬送ダクトにより籾殻を庫内に空気搬送することを特徴とする籾殻庫。
【請求項２】
庫内の側部には庇状部材が設けられ、前記庇状部材の下方に前記空間部が形成される請求項１記載の籾殻庫。
【請求項３】
前記庇状部材は、下方へ向けて傾斜する上面を有する傾斜部材であり、前記傾斜部材の下方に前記空間部が形成される請求項２記載の籾殻庫。
【請求項４】
庫内の側部には庫外へ向けて突出する突出部が設けられ、前記突出部に前記空間部が形成される請求項１記載の籾殻庫。
【請求項５】
前記空間部には排気ダクトが接続されてなり、
前記籾殻搬入空間の空気を、庫内に堆積する籾殻を介して前記空間部に接続される前記排気ダクトから庫外へ排気する請求項１乃至４のいずれかに記載の籾殻庫。
【請求項６】
前記籾殻搬入空間に圧力センサが設けられる一方で、前記排気ダクトに開度を調整可能な風量調整ダンパが設けられ、
前記圧力センサの検出値により前記風量調整ダンパの開度を調整し、前記籾殻搬入空間の圧力を略一定に保持するよう制御する請求項５記載の籾殻庫。
【請求項７】
前記籾殻搬入空間には、さらに粉塵を空気搬送する粉塵搬送ダクトが接続され、
前記籾殻搬入空間の空気を、前記庫内に堆積する前記籾殻により前記籾殻搬入空間と隔てられた前記空間部から前記籾殻を介して庫外へ排気しながら、前記粉塵搬送ダクトにより粉塵を庫内に空気搬送する請求項１乃至６のいずれかに記載の籾殻庫。
【発明の詳細な説明】
【技術分野】
【０００１】
本発明は、籾殻庫に関し、カントリーエレベータやライスセンター等の穀類共同乾燥調製施設に配設して好適な籾殻庫に関する。
【背景技術】
【０００２】
穀類共同乾燥調製施設において、籾摺工程で発生する籾殻を空気搬送して貯留する籾殻庫を設けることは従来公知である（特許文献１を参照）。
【０００３】
特許文献１に記載された籾殻庫は、略密閉構造とされ、籾摺装置と風送導管により接続される。また、前記籾殻庫の近傍には吸気ファンと集塵室が設けられ、前記籾殻庫と前記吸気ファンの吸気口が吸気管で接続され、前記吸気ファンの排気口と前記集塵室が排塵管で接続される。
【０００４】
特許文献１に記載された籾殻庫によれば、前記籾摺装置で発生する籾殻を前記風送導管により庫内に空気搬送するに際し、前記吸気ファンにより庫内の空気を吸引することで、籾殻を庫内に円滑に搬送することができる。また、前記吸気ファンにより吸引した庫内の空気を前記集塵室へ排気することで、前記籾殻とともに庫内に搬送される粉塵を前記集塵室で分離貯留することができる。
【０００５】
しなしながら、特許文献１に記載された籾殻庫は、粉塵を回収するための大きな集塵室を別途設ける必要があり、コスト高となる問題がある。
【先行技術文献】
【特許文献】
【０００６】
【特許文献１】特開平１０−７６１６９号公報
【発明の概要】
【発明が解決しようとする課題】
【０００７】
そこで、本発明は、籾殻を庫内に円滑に搬送することができるとともに、前記籾殻とともに庫内に搬送される粉塵を、別途集塵装置を設けることなく回収することができる籾殻庫を提供することを目的とする。
【課題を解決するための手段】
【０００８】
上記目的を達成するため、本発明は、
籾殻を空気搬送する籾殻搬送ダクトが接続され、前記籾殻搬送ダクトにより空気搬送される籾殻を庫内に貯留する籾殻庫において、
籾殻庫の内部であって前記籾殻搬送ダクトが接続される高さよりも下方には、前記籾殻搬送ダクトが接続される籾殻搬入空間と連通し、庫内に堆積する籾殻により前記籾殻搬入空間と隔てられる空間部が形成され、
前記籾殻搬入空間の空気を、前記庫内に堆積する前記籾殻により前記籾殻搬入空間と隔てられた前記空間部から前記籾殻を介して庫外へ排気しながら、前記籾殻搬送ダクトにより籾殻を庫内に空気搬送することを特徴とする。
【０００９】
本発明は、
庫内の側部に庇状部材が設けられ、前記庇状部材の下方に前記空間部が形成されることが好ましい。
【００１０】
本発明は、
前記庇状部材が、下方へ向けて傾斜する上面を有する傾斜部材であり、前記傾斜部材の下方に前記空間部が形成されることが好ましい。
【００１１】
本発明は、
庫内の側部に庫外へ向けて突出する突出部が設けられ、前記突出部に前記空間部が形成されることが好ましい。
【００１２】
本発明は、
前記空間部には排気ダクトが接続されてなり、
前記籾殻搬入空間の空気を、庫内に堆積する籾殻を介して前記空間部に接続される前記排気ダクトから庫外へ排気することが好ましい。
【００１３】
本発明は、
前記籾殻搬入空間に圧力センサが設けられる一方で、前記排気ダクトに開度を調整可能な風量調整ダンパが設けられ、
前記圧力センサの検出値により前記風量調整ダンパの開度を調整し、前記籾殻搬入空間の圧力を略一定に保持するよう制御することが好ましい。
【００１４】
本発明は、
前記籾殻搬入空間に、さらに粉塵を空気搬送する粉塵搬送ダクトが接続され、
前記籾殻搬入空間の空気を、前記庫内に堆積する前記籾殻により前記籾殻搬入空間と隔てられた前記空間部から前記籾殻を介して庫外へ排気しながら、前記粉塵搬送ダクトにより粉塵を庫内に空気搬送することが好ましい。
【発明の効果】
【００１５】
本発明の籾殻庫は、籾殻庫内の空気、即ち、籾殻搬入空間の空気を庫外へ排気しながら、籾殻搬送ダクトにより籾殻を籾殻庫内に空気搬送するので、籾殻貯留量の増加にともなう庫内の圧力の上昇が防止される。
また、本発明の籾殻庫は、前記籾殻搬入空間の空気を、前記庫内に堆積する前記籾殻により前記籾殻搬入空間と隔てられた空間部から前記籾殻を介して庫外へ排気するので、前記籾殻がフィルタの役割を果たし、前記籾殻とともに庫内に空気搬送される粉塵が前記籾殻に吸着される。
【００１６】
したがって、本発明の籾殻庫によれば、籾殻を庫内に円滑に搬送することができるとともに、前記籾殻とともに庫内に搬送される粉塵を、別途集塵装置を設けることなく回収することができる。
【００１７】
また、本発明の籾殻庫によれば、庫内に貯留される籾殻をフィルタとして利用するので、別途集塵装置を設ける必要がなく、従来に比べコストを低減することができる。
【００１８】
さらに、本発明の籾殻庫によれば、籾殻搬入空間の空気を、庫内に堆積する籾殻により前記籾殻搬入空間と隔てられる空間部から庫外へ排気するので、前記空間部の存在により籾殻の締まりが防止され、前記籾殻をフィルタとして長期にわたり利用することができる。
【００１９】
本発明の籾殻庫は、庫内の側部に庇状部材が設けられ、前記庇状部材の下方に前記空間部が形成されることとすれば、前記空間部の存在によりブリッジ現象の発生が防止され、作業員が前記空間部から庫内へ安全に立ち入ることが可能となる。
【００２０】
本発明の籾殻庫は、前記庇状部材が、下方へ向けて傾斜する上面を有する傾斜部材であり、前記傾斜部材の下方に前記空間部が形成されることとすれば、前記空間部の存在によりブリッジ現象の発生が防止され、作業員が前記空間部から庫内へ安全に立ち入ることが可能となる。
【００２１】
本発明の籾殻庫は、庫内の側部に庫外へ向けて突出する突出部が設けられ、前記突出部に前記空間部が形成されることとすれば、前記空間部の存在によりブリッジ現象の発生が防止され、作業員が前記空間部から庫内へ安全に立ち入ることが可能となる。
【００２２】
本発明の籾殻庫は、籾殻搬入空間に圧力センサが設けられる一方で、排気ダクトに開度を調整可能な風量調整ダンパが設けられ、前記圧力センサの検出値により前記風量調整ダンパの開度を調整し、前記籾殻搬入空間の圧力を略一定に保持するよう制御することとすれば、籾殻貯留量の増加にともなう庫内への籾殻搬入量の減少及び庫外へ排気量の減少を防止し、籾殻貯留能力の低下及び集塵能力の低下を防止することができる。
【００２３】
本発明の籾殻庫は、籾殻搬入空間に、さらに一般の粉塵を空気搬送する粉塵搬送ダクトが接続され、前記籾殻搬入空間の空気を、前記籾殻搬入空間と隔てられた前記空間部から前記籾殻を介して庫外へ排気しながら、前記粉塵搬送ダクトにより粉塵を庫内に空気搬送することとすれば、一般の粉塵の集塵装置として活用することができる。
【図面の簡単な説明】
【００２４】
【図１】本発明の実施の形態における籾殻庫の概略説明図。
【図２】本発明の他の実施の形態における籾殻庫の概略説明図。
【図３】本発明のさらに他の実施の形態における籾殻庫の概略説明図。
【発明を実施するための形態】
【００２５】
本発明の実施の形態を図面に基づいて説明する。
図１は本発明の実施の形態における籾殻庫の概略説明図を示す。
本発明の実施の形態において、籾殻庫１の内部には、一端が１つの側壁２の内面に固定され、他端が下方に向かって傾斜する傾斜板３が設けられる。前記傾斜板３の上方の空間には、図示しない籾摺装置で発生する籾殻を籾殻庫１の内部（庫内）に空気搬送する籾殻搬送ダクト４が接続される。また、前記傾斜板３の下方の空間には、籾殻庫１の外部（庫外）に設けられる吸引ファン５１に接続されて庫内の空気を庫外へ排気する排気ダクト５が接続される。
【００２６】
前記籾殻庫１の底部には、籾殻排出ゲート６が設けられる。前記籾殻庫１の下部には籾殻取出室７が設けられ、シャッタ７１の開放によりトラック用の出入口から籾殻運搬用トラック７２が前記籾殻取出室７に進入可能とされる。
【００２７】
本発明の実施の形態において、籾摺装置で発生する籾殻は、前記籾殻搬送ダクト４により空気搬送され、前記籾殻搬送ダクト４が接続される前記籾殻庫１の籾殻搬入空間１１から庫内に搬入されて堆積する。そして、前記籾殻庫１は、前記傾斜板３の下端部が前記籾殻に埋没すると、前記傾斜板３の下方に形成される空間部１２が庫内に堆積する前記籾殻により前記籾殻搬入空間１１と隔てられる。
【００２８】
他方、前記籾殻搬送ダクト４により籾殻を庫内に搬入すると、前記籾殻庫１は、前記籾殻とともに流入する空気によって庫内の圧力、即ち籾殻搬入空間１１の圧力が上昇し、前記籾殻の貯留量の増加とともに前記籾殻を庫内に円滑に搬送することができなくなる。
【００２９】
そこで、本発明の実施の形態における籾殻庫１は、前記吸引ファン５１の作用により、庫内の空気、即ち、前記籾殻搬入空間１１の空気を前記空間部１２から前記排気ダクト５を介して庫外へ排気しながら、前記籾殻搬送ダクト４により籾殻を庫内に空気搬送することで、籾殻貯留量の増加にともなう庫内の圧力上昇を防止する。
【００３０】
また、本発明の実施の形態における籾殻庫１は、前記籾殻搬入空間１１の空気を、前記籾殻搬入空間１１と隔てられた前記空間部１２から庫内に堆積する籾殻を介して庫外へ排気することで、前記籾殻がフィルタの役割を果たし、前記籾殻とともに庫内に空気搬送される粉塵を庫内に堆積する籾殻が吸着する。
【００３１】
したがって、本発明の実施の形態における籾殻庫１によれば、籾殻を庫内に円滑に搬送することができるとともに、前記籾殻とともに庫内に搬送される粉塵を、別途集塵装置を設けることなく回収することができる。
【００３２】
また、本発明の実施の形態における籾殻庫１によれば、庫内に貯留される籾殻をフィルタとして利用するので、別途集塵装置を設ける必要がなく、従来に比べコストを低減することができる。
【００３３】
さらに、本発明の実施の形態における籾殻庫１によれば、前記籾殻搬入空間１１の空気を、前記傾斜板３の下方に形成される前記空間部１２から庫外へ排気するので、前記空間部１２の存在により籾殻の締まりが防止され、前記籾殻をフィルタとして長期にわたり利用することができる。
【００３４】
本発明の実施の形態における籾殻庫１は、前記傾斜板３の下方に前記空間部１２が形成されるので、前記空間部１２の存在により、前記籾殻排出ゲート６から籾殻を排出する際に壁寄りの流下が滞る、いわゆるブリッジ現象の発生が防止され、作業員が前記空間部１２から庫内へ安全に立ち入ることができる。前記籾殻庫１に貯留される籾殻は、前記籾殻排出ゲート６から定期的に排出され、前記籾殻運搬用トラック７２に積載されて庫外へ搬出されるため、前記籾殻に吸着された粉塵は、前記籾殻とともに回収され処理されることとなる。
【００３５】
なお、本発明の実施の形態において、さらに微細な粉塵を回収し除去する必要がある場合には、前記空間部１２にバッグフィルタ等を用いた小型集塵機を補助的に配設することで、前記小型集塵機及び前記排気ダクト５を介して前記空間部１２から前記籾殻搬入空間１１の空気を庫外へ排気することができる。また、前記籾殻庫１の外に小型集塵機を補助的に配設することで、前記排気ダクト５及び前記小型集塵機を介して前記空間部１２から前記籾殻搬入空間１１の空気を庫外へ排気することができる。
【００３６】
上記本発明の実施の形態では、籾殻庫１の外に設けられる吸引ファン５１の作用により、前記排気ダクト５を介して庫内の空気を庫外へ排気することとしたが、前記空間部１２に送風ファンを設けることとし、前記送風ファンの作用により、庫内の空気を庫外へ排気することもできる。
【００３７】
上記本発明の実施の形態では、１つの側壁２の内面に一端を固定して傾斜板３を設けることとしたが、角部を含め複数の側壁２の内面に前記傾斜板３を設けることもできる。
【００３８】
上記本発明の実施の形態において、前記傾斜板３は１つの側壁２の内面の全幅にわたり固定して設けることができる。また、前記傾斜板３の下方に前記空間部１２が形成されるのであれば、前記傾斜板３は１つの側壁２の内面の一部の幅にのみ設けることもできる。
【００３９】
上記本発明の実施の形態では、籾殻庫１の側壁２の内面に傾斜板３を設けることとしたが、下方に前記空間部１２が形成されるのであれば傾斜板以外の庇状部材を設けることもできる。前記庇状部材は、籾殻を排出する都合上、下方へ向けて傾斜する上面を有することが望ましいが、必ずしもこれに限るものではない。
【００４０】
上記本発明の実施の形態では、籾殻庫１の側壁２の内面に傾斜板３を設け、前記傾斜板３の下方に前記空間部１２を形成することとしたが、前記籾殻庫１の側壁２が外方へ向けて突出する突出部を設け、前記突出部に前記空間部を形成することもできる。
【００４１】
なお、前記籾殻庫１は、平面視において矩形状であるが他の形状でもよい。
【００４２】
図２は本発明の他の実施の形態における籾殻庫の概略説明図を示す。
本発明の他の実施の形態における籾殻庫１は、図１に示す籾殻庫において、さらに、籾殻搬送ダクト４が接続される籾殻搬入空間１１に圧力センサ８１が設けられる一方で、前記圧力センサ８１の検出値に基づいて排気ダクト５の流路の開度を調整可能な風量調整ダンパ８２が設けられるものである。
【００４３】
本発明の他の実施の形態における籾殻庫１によれば、前記圧力センサ８１の検出値により前記風量調整ダンパ８２の開度を調整し、前記籾殻搬入空間１１の圧力を略一定に制御することで、籾殻の貯留量の増加にともなう庫内への籾殻搬入量の減少及び庫外へ排気量の減少を防止し、籾殻貯留能力の低下及び集塵能力の低下を防止することができる。
なお、前記籾殻搬入空間１１の圧力をやや負圧の状態とすれば、籾殻排出ゲート６の隙間から籾殻が吹き出すことを防止できる。
【００４４】
図３は本発明のさらに他の実施の形態における籾殻庫の概略説明図を示す。
本発明のさらに他の実施の形態における籾殻庫１は、図２に示す籾殻庫において、さらに、前記籾殻搬入空間１１に一般の粉塵を空気搬送する粉塵搬送ダクト９が接続されるものである。
【００４５】
本発明のさらに他の実施の形態における籾殻庫によれば、庫内の空気、即ち、前記籾殻搬入空間１１の空気を、前記籾殻搬入空間１１と隔てられた前記空間部１２から庫内に堆積する籾殻を介して庫外へ排気しながら、前記粉塵搬送ダクト９により粉塵を庫内に空気搬送することで、当該籾殻庫を一般の粉塵の集塵装置として活用することができる。
【００４６】
以上、本発明の実施の形態について説明したが、本発明は、上記実施の形態に限定されるものでなく、発明の範囲を逸脱しない限りにおいて、その構成を適宜変更できることはいうまでもない。
【産業上の利用可能性】
【００４７】
本発明の籾殻庫は、籾殻を庫内に円滑に搬送することができるとともに、前記籾殻とともに庫内に搬送される粉塵を、別途集塵室を設けることなく回収することができるものであり、極めて有用である。
【符号の説明】
【００４８】
１      籾殻庫
１１      籾殻搬入空間
１２      空間部
２      側壁
３      傾斜板（庇状部材）
４      籾殻搬送ダクト
５      排気ダクト
５１      吸引ファン
６      籾殻排出ゲート
７      籾殻取出室
７１      シャッタ
７２      籾殻運搬用トラック
８１      圧力センサ
８２      風力調整ダンパ
９      粉塵搬送ダクト
【図１】
2019180275.tif 000003
【図２】
2019180275.tif 000004
【図３】
2019180275.tif 000005